(57)【特許請求の範囲】
【請求項１】
パトローネ本体内に写真フイルムの一端を係止するスプールが回転自在に組み込まれ、パトローネ本体から露呈する前記スプールの一端に巻き取り用の駆動軸を係合してスプールを回転させることによって、所定の巻込み負荷が与えられた写真フイルムをスプールに巻きつけながらパトローネ本体内に巻き込む写真フイルムの巻込み方法において、
パトローネ本体から露呈する前記スプールの他端に支持軸を係合させ、この支持軸に回転負荷を与えるか又はこの支持軸でスプールを軸方向に押圧してスプールの回転に制動を与えるとともに、前記駆動軸を回転させながら軸方向に移動させてスプールの前記一端に前記駆動軸を係合させた後、スプールに与えられた回転制動を解除して、しかる後に支持軸と駆動軸との両軸でスプールを軸方向及び半径方向に規制することにより所定の巻き取り位置に位置決めを行った状態で保持したまま駆動軸を回動して写真フイルムを巻き込むことを特徴とする写真フイルムの巻込み方法。
【請求項２】
前記支持軸を軸方向に移動させてスプールの他端側から一端側へ押圧することによりスプールの回転に制動を与え、この支持軸により前記スプールの回転に制動を与えた状態でスプールの前記一端に前記駆動軸を係合させた後、前記支持軸を一定の位置まで後退させ、この支持軸が一定量後退して且つ前記駆動軸がスプールの前記一端に係合した状態となったとき、スプールが駆動軸と支持軸との両軸で前記巻き取り位置に位置決めされることを特徴とする請求項１記載の写真フイルムの巻込み方法。
【請求項３】
パトローネ本体内に写真フイルムの一端を係止するスプールが回転自在に組み込まれ、パトローネ本体から露呈する前記スプールの一端に巻き取り用の駆動軸を係合してスプールを回転させることによって所定の巻込み負荷が与えられた写真フイルムをスプールに巻きつけながらパトローネ本体内に巻き込む写真フイルムの巻込み装置において、
前記パトローネ本体から露呈するスプールの他端に係合する突出位置、及びこの突出位置から一定量後退した後退位置の間で移動可能に設けられた支持軸と、この支持軸が前記突出位置にあるときには前記他端に前記支持軸を押圧させてスプールの回転に制動を与え、支持軸が前記後退位置にあるときにはスプールへの回転制動を解除する支持軸押圧手段とを備え、前記駆動軸を前記スプールの一端に係合させるときには、前記支持軸を突出位置に移動させて前記スプールに回転制動を与え、前記駆動軸が前記スプールに係合した後、前記支持軸を前記後退位置に移動させた状態として、前記支持軸と駆動軸との両軸でスプールを軸方向及び半径方向に規制することにより所定の巻き取り位置に位置決めを行った状態で保持したまま駆動軸を回動して写真フイルムを巻き込むことを特徴とする写真フイルムの巻込み装置。
【請求項４】
前記支持軸は内軸とその外周を取り囲む外軸とからなり、これらの軸はそれぞれ軸方向に移動自在であり、突出位置では外軸がスプールを軸方向に押圧し、後退位置では外軸がスプールの他端との係合を解除する位置まで後退し、かつ内軸が前記他端を支持してスプールを前記巻き取り位置に位置決めすることを特徴とする請求項３記載の写真フイルムの巻込み装置。
【請求項５】
パトローネ本体内に写真フイルムの一端を係止するスプールが回転自在に組み込まれ、パトローネ本体から露呈する前記スプールの一端に巻き取り用の駆動軸を係合してスプールを回転させることによって所定の巻込み負荷が与えられた写真フイルムをスプールに巻きつけながらパトローネ本体内に巻き込む写真フイルムの巻込み装置において、
パトローネ本体外に露呈した前記スプールの他端に係合し、前記駆動軸との間でスプールを軸方向及び半径方向に規制することにより位置決めを行う支持軸と、前記駆動軸をスプールの前記一端に係合させるときにスプールが回転しないように支持軸の回転に制動を与えるブレーキ手段と、写真フイルムの巻込み時には前記ブレーキ手段の作動を解除して駆動軸及びスプールの回転とともに支持軸の回転を許容するブレーキ解除手段とからなることを特徴とする写真フイルムの巻込み装置。
【請求項６】
パトローネ本体内に写真フイルムの一端を係止するスプールが回転自在に組み込まれ、パトローネ本体から露呈する前記スプールの一端に巻き取り用の駆動軸を係合してスプールを回転させることによって所定の巻込み負荷が与えられた写真フイルムをスプールに巻きつけながらパトローネ本体内に巻き込む写真フイルムの巻込み装置において、
パトローネ本体から露呈する前記スプールの他端に係合する支持軸と、この支持軸及び前記駆動軸にそれぞれスプールを軸方向に押圧する付勢力を与える第１及び第２の付勢手段とが設けられ、前記第１の付勢手段により付勢を与えた前記支持軸でスプールを軸方向に押圧する状態とするとともに、前記第２の付勢手段による付勢を与えない状態のまま駆動軸を回転させながらスプールの前記一端に向かって移動させて前記駆動軸をスプールの前記一端に係合させた後、前記第１の付勢手段よりも付勢力が大きい前記第２の付勢手段の付勢力で駆動軸を付勢してスプールを軸方向及び半径方向に規制することにより所定の巻き取り位置に位置決めを行った状態で保持したまま駆動軸を回動して写真フイルムを巻き込むことを特徴とする写真フイルムの巻込み装置。
【発明の詳細な説明】
【０００１】
【発明の属する技術分野】
本発明は、パトローネのスプールに未露光の写真フイルムを巻き付けながら、パトローネ本体内に写真フイルムを巻き込むための方法及び装置に関するものである。
【０００２】
【従来の技術】
特開平５−２２４３５１号公報には、未使用状態で写真フイルムの先端までもパトローネ本体内に収納しておき、スプールを回転させることによって写真フイルムの先端をパトローネ本体外に送り出す機能を有する写真フイルムパトローネが種々提案されている。
【０００３】
前述した写真フイルムパトローネの一例を示す図７において、写真フイルムパトローネは、写真フイルム７を巻きつけたスプール４と、スプール４が回動自在に組み込まれるパトローネ６とからなる。パトローネ６の外観を構成するパトローネ本体３は、互いに嵌合する２つのケース部品３ａ，３ｂで構成されている。スプール４を構成するスプール軸４ｃには、フイルム挟持部４ｇが設けられており、写真フイルム７の後端が取付けられている。スプール軸４ｃの両側には、外周に溝を配した嵌合部４ｈが設けられている。嵌合部４ｈの溝にディスク４ａ，４ｂが嵌め込まれている。このディスク４ａ，４ｂは縁部が内側に向かって突出して、スプール軸４ｃに巻きついた写真フイルム７の巻き緩みが防止されるようになっている。
【０００４】
ケース部品３ａ，３ｂの合わせ目には、嵌合穴３ｇ，３ｈが形成されている。パトローネ６を組み立てた際に、スプール４の両端部が嵌合穴３ｇ，３ｈに入り込んで回動自在に保持される。嵌合部４ｈは、嵌合穴３ｇ，３ｈより径が大きくなっている。嵌合部４ｈの外側の面は、スプール４の回転時にパトローネ本体３の内壁面に摺動する。
【０００５】
スプール４の端部の一方には、キー溝が内周面に設けられたキー溝穴４ｉが形成されており、他方には軸受穴４ｅが形成されている（図１等参照）。スプール４の両端部に各々形成されたキー溝４ｉと軸受穴４ｅは、パトローネ６の側面の嵌合穴３ｇ，３ｈから露呈する。カメラに装填したときには、キー溝４ｉにはカメラ側のスプール４を回転する機構の駆動軸が結合し、凹部４ｅにはカメラ側のリブが入り込んでスプール４は両端から支持される。
【０００６】
ケース部品３ａ，３ｂの合わせ目には、写真フイルム７を出し入れするためのフイルム通路３ｃが設けられている。このフイルム通路３ｃには、遮光部材５が回動自在に組み込まれている。この遮光部材５の端部にはキー溝５ａが形成されており、パトローネ本体３の側面に露呈するようになっている。カメラ等に装填した際には、このキー溝５ａに、遮光部材５を駆動するためのカメラ側の駆動軸が係合し、この駆動軸の駆動によって、フイルム通路３ｃが開放されるようになっている。カメラから取り出された状態では、遮光部材５でフイルム通路３ｃを閉じてパトローネ６内を光密に保持する。
【０００７】
ところで、上述したような写真フイルムパトローネの製造方法の一例が、特開平６−３５１２８号公報等に開示されている。図示したパトローネ６を用い簡単に説明すると、まず、スプール軸４ｃの両側にディスク４ａ，４ｂを組み付けたスプール４と、遮光部材５を射出成形により製造されたケース部品３ｂに組み込み、ケース部品３ａをケース部品３ｂに取付けて、その合わせ目を超音波により溶着してケース部品３ａ，３ｂを一体化し、パトローネ６を完成する。
【０００８】
次に、組み立てが完了したパトローネ６内に、写真フイルム７をフイルム通路３ｃを通して、写真フイルム７の後端部をスプール軸４ｃのフイルム挟持部４ｇに係合させる。スプール４を回転することで、写真フイルム７をパトローネ内に巻き込むものであるが、パトローネ内に写真フイルムを巻き込む装置や方法については、特に提案されていない。
【０００９】
【発明が解決しようとする課題】
上述したような写真フイルムパトローネに適用される写真フイルムの巻込み装置として、写真フイルムにテンションをかけながらパトローネに巻き込むものが検討されている（図８参照）。これは、組み立てが完了したパトローネ６をパトローネホルダ９０にセットし、写真フイルム７を第１ローラ９３と第２ローラ９４との間を通してパトローネ９１内に挿入する。写真フイルム７の後端をスプール４に連結した後で、スプール４のキー溝穴４ｉに連結した駆動軸９５ａをモータ９５で回転し、パトローネ６内に写真フイルム７を巻込んでゆく。フイルム巻込み時に、第２ローラ９４はブレーキ機構９６により回転が抑制されるため、第１ローラ９３と第２ローラ９４との間に挟持された写真フイルム７はテンションがかけられて巻き取られる。したがって、スプール４の両端部のうち、駆動軸９５ａが連結されていない側の端部は、フイルム巻込み方向とは逆向きに引っ張られて、嵌合穴３ｇに強く押し付けられる。そのため、フイルム巻込み時に両者が擦れて、削れを生じるといった問題がある。
【００１０】
本発明はこのような問題を解消するためになされたもので、高速でフイルム巻込みを行った場合にも、スプールとパトローネ本体の擦動部分に削れを生じないで、写真フイルムを巻き込めるようにする巻込み方法及び装置を提供する。
【００１１】
【課題を解決するための手段】
上記課題を解決するために、請求項１記載の発明では、パトローネ本体から露呈するスプールの他端に支持軸を係合させ、この支持軸に回転負荷を与えるか又はこの支持軸でスプールを軸方向に押圧してスプールの回転に制動を与えるとともに、前記駆動軸を回転させながら軸方向に移動させてスプールの前記一端に前記駆動軸を係合させた後、スプールに与えられた回転制動を解除して、しかる後に支持軸と駆動軸との両軸でスプールを軸方向及び半径方向に規制することにより所定の巻き取り位置に位置決めを行った状態で保持したまま駆動軸を回動して写真フイルムを巻き込むようにしたものである。
【００１２】
請求項２記載の発明では、支持軸を軸方向に移動させてスプールの他端側から一端側へ押圧することによりスプールの回転に制動を与え、この支持軸によりスプールの回転に制動を与えた状態でスプールの前記一端に前記駆動軸を係合させた後、支持軸を一定の位置まで後退させ、この支持軸が一定量後退して且つ駆動軸がスプールの前記一端に係合した状態となったとき、スプールが駆動軸と支持軸との両軸で巻き取り位置に位置決めされるようにしたものである。
【００１３】
請求項３記載の発明では、パトローネ本体から露呈するスプールの他端に係合する突出位置、及びこの突出位置から一定量後退した後退位置の間で移動可能に設けられた支持軸と、この支持軸が前記突出位置にあるときには前記他端に前記支持軸を押圧させてスプールの回転に制動を与え、支持軸が前記後退位置にあるときにはスプールへの回転制動を解除する支持軸押圧手段とを備え、前記駆動軸を前記スプールの一端に係合させるときには、前記支持軸を突出位置に移動させて前記スプールに回転制動を与え、前記駆動軸が前記スプールに係合した後、前記支持軸を前記後退位置に移動させた状態として、前記支持軸と駆動軸との両軸でスプールを軸方向及び半径方向に規制することにより所定の巻き取り位置に位置決めを行った状態で保持したまま駆動軸を回動して写真フイルムを巻き込んでいる。
【００１４】
請求項４記載の発明では、支持軸は内軸とその外周を取り囲む外軸とからなり、これらの軸はそれぞれ軸方向に移動自在であり、突出位置では外軸がスプールを軸方向に押圧し、後退位置では外軸がスプールの他端との係合を解除する位置まで後退し、かつ内軸が前記他端を支持してスプールを一定の前記巻き取り位置に位置決めするものである。
【００１５】
請求項５記載の発明では、パトローネ本体外に露呈したスプールの他端に係合し、駆動軸との間でスプールを軸方向及び半径方向に規制することにより位置決めを行う支持軸と、駆動軸をスプールの一端に係合させるときにスプールが回転しないように支持軸の回転に制動を与えるブレーキ手段と、写真フイルムの巻込み時にはブレーキ手段の作動を解除して駆動軸及びスプールの回転とともに支持軸の回転を許容するブレーキ解除手段とからなるものである。
【００１６】
請求項６記載の発明では、パトローネから露呈する前記スプールの他端に係合する支持軸と、この支持軸及び前記駆動軸にそれぞれスプールを軸方向に押圧する付勢力を与える第１及び第２の付勢手段とが設けられ、前記第１の付勢手段により付勢を与えた前記支持軸でスプールを軸方向に押圧する状態とするとともに、前記第２の付勢手段による付勢を与えない状態のまま駆動軸を回転させながらスプールの前記一端に向かって移動させて前記駆動軸をスプールの前記一端に係合させた後、前記第１の付勢手段よりも付勢力が大きい前記第２の付勢手段の付勢力で駆動軸を付勢してスプールを軸方向及び半径方向に規制することにより所定の巻き取り位置に位置決めを行った状態で保持したまま駆動軸を回動して写真フイルムを巻き込んでいる。
【００１７】
【発明の実施の形態】
以下に、図７に示した写真フイルムパトローネを用いて、フイルム巻込みを行った場合を図を参照しながら説明する。図１及び図２は、フイルム巻込み装置の第１例を示すものである。図３は、フイルム巻込みの要部を示すものである。フイルム巻込み装置１１は、写真フイルム７を挟持して回転する第１，第２ローラ１２，１４と、第２ローラの回転軸に直結される駆動負荷機構１３と、スプール４を駆動するためのモータ２０と、モータ２０の駆動軸２０ａをスプール４のキー溝穴４ｉに押圧・挿入するための押圧機構１５と、スプール４ｅに支持軸１６を連結するための押圧機構１７とから構成されている。
【００１８】
第１ローラ１２、第２ローラ１４は、写真フイルム７の端部だけに当接するように、両端部分だけ直径が大きくなっており、写真フイルム７の被写体が露光される部分にローラが当たって、乳剤面に傷等が付くことのないようになっている。なお、本実施例では、写真フイルム７は、一方のエッジに沿って、１撮影コマに２つの割合で片側だけにパーフォレーションが設けられたタイプのものを使用している。
【００１９】
第１ローラ１２は何ら抵抗無く回転できる状態で軸着され、それと対となる第２ローラ１４には回転負荷機構１３が直結している。この回転負荷機構１３によって第２ローラ１４の回転は抑制されるので、第１ローラ１２と第２ローラ１４の間に挟まれながらパトローネ６内に巻込まれる写真フイルム７に巻込み負荷が加えられる。
【００２０】
パトローネホルダ１８には、パトローネ６の外形に合わせた凹部１８ａが形成されている。パトローネ６は、凹部１８ａに半分程嵌め込まれて保持される。このパトローネホルダ１８の側面の各部には、凹みが形成されており、各々から軸受け穴４ｅ，キー溝穴４ｉ，キー溝５ａをそれぞれ露呈している。
【００２１】
押圧機構１５，１７は空気又は油圧シリンダ機構等で構成されている。押圧機構１５は、モータ２０を取付けたベース部２１をスプール４の軸方向に沿って移動する。モータ２０の駆動軸２０ａにはキー片が形成されており、キー溝穴４ｉのキー溝に連結するようになっている。支持軸１６の先端は先が細くなって、支持軸１６の、軸受け穴４ｅへの挿入がスムーズに行われるようになっている。支持軸１６には、円環状のフランジ１６ａが一体に形成されている。押圧機構１７で、支持軸１６を軸受け穴４ｅに挿入してゆくと、スプール４の端部にフランジ１６ａが押し付けられる。そして、スプール４の嵌合部４ｈがパトローネ６の内壁面にに押し付けられて、スプール４の回転が規制される。
【００２２】
前述したような構成の巻込み装置を用いてフイルム巻き込みを行った場合を、以下に説明する。組み立てが完了したパトローネ６を、フイルム通路３ｃを前にしてパトローネホルダ１８の凹部１８ａにセットする。遮光部材５がフイルム通路３ｃを閉じた状態の場合には、キー溝５ａに遮光部材５の開閉用駆動軸（図示省略）を連結して駆動し、遮光部材５を開いた状態にする。
【００２３】
押圧機構１７が支持軸１６をスプール４の軸受穴４ｅに挿入する。リブ１６ａが軸受穴４ｅの廻りに当接してスプール４が軸方向に押圧される。スプール４の嵌合部４ｈがパトローネ６の内壁に押しつけられて、両者の摩擦によってスプール４の回転を規制する（図３（Ａ）参照）。次に、モータ２０を駆動して駆動軸２０ａを回転する。駆動軸２０ａは、回転しながら、押圧機構１５が駆動軸２０ａをスプール４のキー溝穴４ｄに押し付けられて、キー片がキー溝に入る位置を探る。キー片がキー溝に合うと、駆動軸２０ａはキー溝穴４ｄに入り込んで連結される。この探り時に、スプール４はフランジ受け４ｇと軸受３ｇとの摩擦で回転が規制されているので、一緒に連れ回りすることはない。したがって、駆動軸２０ａをスプール４のキー溝穴４ｄに確実に挿入することができる。
【００２４】
次に、写真フイルム７を第１ローラ１２と第２ローラ１４との間に通した後、専用の差し込み治具（図示せず）により写真フイルム７の端部をフイルム通路３ｃからパトローネ６内に挿入して、スプール４の写真フイルム挟持部４ｃに挟み込む。スプール４のフイルム挟持部４ｇに写真フイルム７の後端が連結されると、押圧機構１７が支持軸１６を所定位置まで僅かに後退させて、スプール４の回転規制を解除する（図３（Ｂ）参照）。次に、スプール４は回転の規制が解かれたため、モータ２０によって高速で回転され、写真フイルム７がフイルム通路３ｃからパトローネ６内に引き込まれていく。その際に、スプール４は、支持軸１６と駆動軸２０ａとの両軸で保持した状態で回転するので、軸ブレがない安定した回転を得ることができる。
【００２５】
パトローネ６内に巻き込まれる写真フイルム７には、巻き緩みを防止するために、回転負荷機構１３により一定の巻込み負荷がかけられる。巻込み負荷はスプール４にもかかるが、支持軸１６と駆動軸２０ａとでスプール４の両端を支持して、スプール４をその軸方向及び半径方向に位置決めを行っているので、従来のように巻込み負荷によって生じる摩擦によって削れ粉を発生したりすことなく、円滑に、且つ高速でスプール４を写真フイルム７に巻き取ることができる。
【００２６】
写真フイルム７が先端部まで全てスプール４に巻き取られると、遮光部材５が閉じられて、パトローネ６内が光密にされ、写真フイルム７のパトローネ６への巻込み作業が終了する。
【００２７】
図４〜図６は、それぞれ、本発明の他の実施形態を示すもので、以下、これらの例について説明する。図４に示す第２例は、支持軸４９を内軸５０と、その外周を取り囲む円筒状の外軸５１から構成するものである。外軸５１は内軸５０の軸方向に移動自在に設けられている。駆動軸５３をキー溝穴４ｅに連結する探り時には、内軸５０をスプール４の軸受穴４ｅに挿入した状態で、外軸５１をスプール４の端部に押し付けてスプール４の回転を制動する（図４（Ａ）参照）。フイルム巻き込み時には、外軸５１を後退してスプール４の回転の制動を解除した後、駆動軸５３を駆動する。このとき、内軸５０でスプール４を軸方向及び半径方向での位置決めを行っている（図４（Ｂ）参照）ので、フイルム巻き込みが良好に行なえる。
【００２８】
図５に示す第３例では、支持軸６０はブレーキ機構６１の回転軸に設けたチャック部６１ａに取り付けて、支持軸６０の回転及び規制をブレーキ機構６１で制御するものである。これは、ブレーキ機構６１で回転を規制した支持軸６０をスプール４の凹部４ｅに押し付けてゆき、フランジ６０ａでスプール４の回転を規制する（図５（Ａ）参照）。次に、駆動軸６３を回転しながら前述と同様にキー溝穴４ｉに連結する。ブレーキ機構６１がブレーキを解除して支持軸６０の回転を許容して、支持軸６０でスプール４を軸方向及び半径方向での位置決めを行って（図５（Ｂ）参照）、フイルム巻き込みが行われる。
【００２９】
図６に示す第４例は、スプール４の軸受穴４ｅに係合する支持軸７０と、キー溝４ｉに係合する駆動軸７３の各々には、スプール４を軸方向に進退してスプール４を付勢する付勢機構７５，７６がそれぞれ設けられている。付勢機構７６により支持軸７０をスプール４に押圧力ｆ２  で軸方向に付勢する（図６（Ａ）参照）。付勢機構７５による付勢を与えない状態で、駆動軸７３を回転させながらスプール４のキー溝穴４ｉに向かって移動させる。
【００３０】
駆動軸７３がキー溝穴４ｉとが係合して写真フイルム７の巻込みを行うときには、駆動軸７３を付勢機構７５が押圧力ｆ１  で軸方向に付勢する。（図６（Ｂ）参照）。スプール４の両端には押圧力ｆ１  ，ｆ２  が掛けられ、その押圧力はｆ１  ＞ｆ２  の関係であるので、付勢機構７６よりも付勢力の大きい付勢機構７５で駆動軸７３を付勢して、スプール４を軸方向に所定のフイルム巻込み位置まで移動させ、スプール４を駆動軸７３と支持軸７０の間に挟持して、駆動軸７３を回転させる。
【００３１】
また、本実施例では、遮光部材に回転式のシャッター形状のものを使用したが、もちろんこれ以外にも、例えば基布に多数のパイル糸を植設したテレンプ等、写真フイルムが出し入れ可能であり、且つ、フイルム通路を光密に塞ぐことが可能なものであれば何でもよい。また、写真フイルムは、１撮影コマに２つの割合で片側にパーフォレーションを設けたフォーマットのものを使用したが、これも、従来のような、１撮影コマに８つの割合で両側にパーフォレーションを設けたフォーマットの写真フイルムでも、当然何ら問題なく同様に使用できる。
【００３２】
【発明の効果】
以上に説明したように、本発明の写真フイルムの巻込み方法及び装置によれば、パトローネ本体外に露呈したスプールの他端に支持軸を係合させ、この支持軸に回転負荷を与えるか又はこの支持軸でスプールを軸方向に押圧してスプールの回転に制動を与えた状態で駆動軸を回転させながらスプールの一端に係合させ、駆動軸がスプールの一端に係合した後にスプールに与えられた回転制動を解除して、しかる後に支持軸と駆動軸との両軸でスプールを一定の巻取り位置に保持したまま駆動軸を回動して写真フイルムを巻込むので、写真フイルムの巻緩みを防止するためにフイルムに巻取り負荷をかけてフイルム巻き取りを行った場合でも、従来のようにスプールの一方の端が擦れて削れカスがでるといったことがなくなった。この結果、確実かつ迅速にパトローネ内に写真フイルムを巻き込むことが可能になった。
【図面の簡単な説明】
【図１】本発明の巻込み装置の第１例を示す斜視図である。
【図２】図１に示す巻込み装置でフイルム巻込みを行っている様子を示す斜視図である。
【図３】図１に示す巻込み装置の要部を示す平面破断図である。
【図４】巻込み装置の第２例の要部を示す平面破断図である。
【図５】巻込み装置の第３例の要部を示す平面破断図である。
【図６】巻込み装置の第４例の要部を示す平面破断図である。
【図７】写真フイルムパトローネの分解斜視図である。
【図８】従来の巻き込み装置の斜視図である。
【符号の説明】
３  パトローネ本体
３ｃ  フイルム通路
３ｇ，３ｈ  軸受
４  スプール
４ｅ  軸受穴
４ｉ  キー溝穴
６  パトローネ
７  写真フイルム
１１  巻込み装置
１６，４９，６０，７０  支持軸
２０  モータ
２０ａ，５３，６３，７３  駆動軸
５０  内軸
５１  外軸
６１  ブレーキ機構
７５，７６  付勢機構
【図１】
0003614974.tif 000002
【図２】
0003614974.tif 000003
【図３】
0003614974.tif 000004
【図４】
0003614974.tif 000005
【図５】
0003614974.tif 000006
【図６】
0003614974.tif 000007
【図７】
0003614974.tif 000008
【図８】
0003614974.tif 000009